(57)【特許請求の範囲】
【請求項１】
複数のプラグ端子を含む信号用プラグが接続可能で、接続状態で上記信号用プラグの複数のプラグ端子と接続される複数のジャック端子を含むジャック部と、
上記複数のジャック端子に接続された複数の引き出し部と、を有し、
上記複数の引き出し部のうちの第１のジャック端子に接続された第１の引き出し部は、
分岐され、一分岐部に高周波的な遮断機能を有する高周波遮断部が接続され、
他分岐部に高周波信号を取り出すためのキャパシタが接続され、
上記信号用プラグは、少なくとも３つのプラグ端子を含み、
上記第１の引き出し部が接続される第１のジャック端子に接続される第１のプラグ端子に高周波信号と低周波の信号が重畳され、
上記第１の引き出し部とは異なる第２の引き出し部が接続された第２のジャック端子に接続される第２のプラグ端子が低周波および高周波のグランドとして機能し、
上記第１のプラグ端子および上記第２のプラグ端子以外の第３のプラグ端子は、
高周波的には容量結合によりグランドとして機能し、低周波では上記第１のプラグ端子と別信号を伝送する機能を含み、
上記第２のプラグ端子および上記第３のプラグ端子の信号伝送用ケーブルとの接続部に高周波的な遮断機能を有する高周波遮断部がそれぞれ接続されている
接続機器。
【請求項２】
上記複数の引き出し部は、
上記第１の引き出し部と異なる第２のジャック端子に接続された第２の引き出し部がグランドに直接的に接続されている
請求項１記載の接続機器。
【請求項３】
少なくとも３つの上記複数のジャック端子および引き出し部を含み、
上記第１の引き出し部および上記第２の引き出し部以外の第３のジャック端子に接続された第３の引き出し部は、
分岐され、一分岐部に高周波的な遮断機能を有する高周波遮断部が接続され、
他の分岐部は高周波的にはグランドに接続し、低周波では分離する容量が形成されている
請求項２記載の接続機器。
【請求項４】
上記第２のプラグ端子と上記第３のプラグ端子間に容量が形成されている
請求項１から３のいずれか一に記載の接続機器。
【請求項５】
上記第２のプラグ端子と上記高周波遮断部との接続部と、上記第３のプラグ端子間に上記容量が形成されている
請求項４記載の接続機器。
【請求項６】
上記容量は、
上記第２のプラグ端子と上記第３のプラグ端子間の絶縁部を含んで形成されている
請求項５記載の接続機器。
【請求項７】
上記信号用プラグは、
信号伝送用ケーブルとの接続側において、
上記第１のプラグ端子が中心部に形成され、
上記第２のプラグ端子および上記第３のプラグ端子は、
上記第１のプラグ端子の外側に形成されている
請求項１から６のいずれか一に記載の接続機器。
【請求項８】
複数のプラグ端子を含む音声信号用プラグが接続可能な接続機器と、
上記接続機器を介する放送波の受信機能を有する電子機器と、を有し、
上記接続機器は、
複数のプラグ端子を含む信号用プラグが接続可能で、接続状態で上記信号用プラグの複数のプラグ端子と接続される複数のジャック端子を含むジャック部と、
上記複数のジャック端子に接続された複数の引き出し部と、を有し、
上記複数の引き出し部のうちの第１のジャック端子に接続された第１の引き出し部は、
分岐され、一分岐部に高周波的な遮断機能を有する高周波遮断部が接続され、
他分岐部に高周波信号を取り出すためのキャパシタが接続され、
上記信号用プラグは、少なくとも３つのプラグ端子を含み、
上記第１の引き出し部が接続される第１のジャック端子に接続される第１のプラグ端子に高周波信号と低周波の信号が重畳され、
上記第１の引き出し部とは異なる第２の引き出し部が接続された第２のジャック端子に接続される第２のプラグ端子が低周波および高周波のグランドとして機能し、
上記第１のプラグ端子および上記第２のプラグ端子以外の第３のプラグ端子は、
高周波的には容量結合によりグランドとして機能し、低周波では上記第１のプラグ端子と別信号を伝送する機能を含み、
上記第２のプラグ端子および上記第３のプラグ端子の信号伝送用ケーブルとの接続部に高周波的な遮断機能を有する高周波遮断部がそれぞれ接続されている
受信装置。
【請求項９】
上記複数の引き出し部は、
上記第１の引き出し部と異なる第２のジャック端子に接続された第２の引き出し部がグランドに直接的に接続されている
請求項８記載の受信装置。
【請求項１０】
少なくとも３つの上記複数のジャック端子および引き出し部を含み、
上記第１の引き出し部および上記第２の引き出し部以外の第３のジャック端子に接続された第３の引き出し部は、
分岐され、一分岐部に高周波的な遮断機能を有する高周波遮断部が接続され、
他の分岐部は高周波的にはグランドに接続し、低周波では分離する容量が形成されている
請求項９記載の受信装置。
【請求項１１】
上記第２のプラグ端子と上記第３のプラグ端子間に容量が形成されている
請求項８から１０のいずれか一に記載の受信装置。
【請求項１２】
上記第２のプラグ端子と上記高周波遮断部との接続部と、上記第３のプラグ端子間に上記容量が形成されている
請求項１１記載の受信装置。
【請求項１３】
上記容量は、
上記第２のプラグ端子と上記第３のプラグ端子間の絶縁部を含んで形成されている
請求項１２記載の受信装置。
【請求項１４】
上記信号用プラグは、
信号伝送用ケーブルとの接続側において、
上記第１のプラグ端子が中心部に形成され、
上記第２のプラグ端子および上記第３のプラグ端子は、
上記第１のプラグ端子の外側に形成されている
請求項８から１３のいずれか一に記載の受信装置。
【発明の詳細な説明】
【技術分野】
【０００１】
本発明は、たとえば携帯型のＡＶ機器、携帯電話機等の携帯型電子機器に適用可能な接続機器およびその受信装置に関するものである。
【背景技術】
【０００２】
携帯型電子機器の大画面化および高性能化と、テレビジョン（ＴＶ）チューナーの小型化および薄型化に伴い、受信端末にて、ＴＶ視聴が可能な携帯型電子機器端末が世に普及している。
【０００３】
そして近年、携帯電話機に代表される通信端末等の電子機器には、ＦＭラジオやデジタルラジオ、またはデジタルテレビジョンの放送波を受信する機能を有するものが増えてきている。
この電子機器の音声は、同軸ケーブルを用いたイヤホンケーブルを通してイヤホン（ヘッドホンを含む）で聴取することも行われている。
【０００４】
また、テレビジョン受像機を搭載した携帯電話機等の電子機器では、その音声をイヤホンで聴取すると共に、イヤホン用のケーブルをシールドケーブルで形成して受信アンテナとして機能させ、高周波信号の伝送にも利用することが行われている。
いわゆるイヤホンアンテナについては、たとえば特許文献１、２に開示されている。
【先行技術文献】
【特許文献】
【０００５】
【特許文献１】特許第４００３６７１号
【特許文献２】特許第４１２３２６２号
【発明の概要】
【発明が解決しようとする課題】
【０００６】
上述したイヤホンアンテナとしては、φ３．５ｍｍやφ２．５ｍｍのプラグを用いたイヤホンケーブルを使用して、ＦＭ放送波受信や、ワンセグ受信のアンテナとして、使われているものが多い。
ところが、φ３．５、φ２．５極のような筒型の端子を用いる場合、高周波的な結合が大きく、アンテナゲインの劣化が顕著であるという不利益がある。
【０００７】
本発明は、端子結合部における損失を削減でき、高い受信性能を実現することが可能な接続機器および受信装置を提供することにある。
【課題を解決するための手段】
【０００８】
本発明の第１の観点の接続機器は、複数のプラグ端子を含む信号用プラグが接続可能で、接続状態で上記信号用プラグの複数のプラグ端子と接続される複数のジャック端子を含むジャック部と、上記複数のジャック端子に接続された複数の引き出し部と、を有し、上記複数の引き出し部のうちの第１のジャック端子に接続された第１の引き出し部は、分岐され、一分岐部に高周波的な遮断機能を有する高周波遮断部が接続され、他分岐部に高周波信号を取り出すためのキャパシタが接続され、上記信号用プラグは、少なくとも３つのプラグ端子を含み、上記第１の引き出し部が接続される第１のジャック端子に接続される第１のプラグ端子に高周波信号と低周波の信号が重畳され、上記第１の引き出し部とは異なる第２の引き出し部が接続された第２のジャック端子に接続される第２のプラグ端子が低周波および高周波のグランドとして機能し、上記第１のプラグ端子および上記第２のプラグ端子以外の第３のプラグ端子は、高周波的には容量結合によりグランドとして機能し、低周波では上記第１のプラグ端子と別信号を伝送する機能を含み、上記第２のプラグ端子および上記第３のプラグ端子の信号伝送用ケーブルとの接続部に高周波的な遮断機能を有する高周波遮断部がそれぞれ接続されている。
【０００９】
本発明の第２の観点の受信装置は、複数のプラグ端子を含む音声信号用プラグが接続可能な接続機器と、上記接続機器を介する放送波の受信機能を有する電子機器と、を有し、上記接続機器は、複数のプラグ端子を含む信号用プラグが接続可能で、接続状態で上記信号用プラグの複数のプラグ端子と接続される複数のジャック端子を含むジャック部と、上記複数のジャック端子に接続された複数の引き出し部と、を有し、上記複数の引き出し部のうちの第１のジャック端子に接続された第１の引き出し部は、分岐され、一分岐部に高周波的な遮断機能を有する高周波遮断部が接続され、他分岐部に高周波信号を取り出すためのキャパシタが接続され、上記信号用プラグは、少なくとも３つのプラグ端子を含み、上記第１の引き出し部が接続される第１のジャック端子に接続される第１のプラグ端子に高周波信号と低周波の信号が重畳され、上記第１の引き出し部とは異なる第２の引き出し部が接続された第２のジャック端子に接続される第２のプラグ端子が低周波および高周波のグランドとして機能し、上記第１のプラグ端子および上記第２のプラグ端子以外の第３のプラグ端子は、高周波的には容量結合によりグランドとして機能し、低周波では上記第１のプラグ端子と別信号を伝送する機能を含み、上記第２のプラグ端子および上記第３のプラグ端子の信号伝送用ケーブルとの接続部に高周波的な遮断機能を有する高周波遮断部がそれぞれ接続されている。
【発明の効果】
【００１０】
本発明によれば、端子結合部における損失を削減でき、高い受信性能を実現することができる。
【図面の簡単な説明】
【００１１】
【図１】本発明の第１の実施形態に係るアンテナ装置を形成するアンテナケーブルを含む電子機器（セット機器）の一例である携帯端末を含む受信システム（受信装置）を示す図である。
【図２】本発明の第１の実施形態に係る受信システムの等価回路を示す図である。
【図３】本実施形態に係るアンテナケーブルを形成するシールド部付同軸ケーブルおよび中継基板を含むプラグ接続部の等価回路を示す図である。
【図４】第２のプラグ端子であるＧＮＤ端子と第３のプラグ端子であるＲｃｈ端子間に形成される容量について説明するための図である。
【図５】シールド部付同軸ケーブルの構造例を示す図である。
【図６】本実施形態に係る中継部に実装基板の構成例を示す図である。
【図７】本第１の実施形態に係る３極ジャック部を含む携帯端末（電子機器）側接続機器の一例の等価回路を示す図である。
【図８】３極ジャック部のＲｃｈ端子に容量を接続した場合と接続していない場合の通過特性を示す図である。
【図９】図８の通過特性の確認に適用した機器を説明するための図である。
【図１０】アンテナケーブルにイヤホンケーブルを接続したときのＶＨＦ帯およびＵＨＦ帯の本第１の実施形態に係る受信装置の周波数に対するピークゲイン特性を示す図である。
【図１１】本発明の第２の実施形態に係る受信システムの等価回路を示す図である。
【図１２】アンテナケーブルにイヤホンケーブルを接続したときのＶＨＦ帯およびＵＨＦ帯の本第２の実施形態に係る受信装置の周波数に対するピークゲイン特性を示す図である。
【図１３】比較例として、アンテナケーブルにイヤホンケーブルを接続していないときのＶＨＦ帯およびＵＨＦ帯の受信装置の周波数に対するピークゲイン特性を示す図である。
【図１４】第２のプラグ端子であるＧＮＤ端子と第３のプラグ端子であるＲｃｈ端子間に容量を配置している場合と配置していない場合の実験に使用した接続機器を示す図である。
【図１５】アンテナケーブルにイヤホンケーブルを接続し、第２のプラグ端子であるＧＮＤ端子と第３のプラグ端子であるＲｃｈ端子間に容量を配置している場合と配置していない場合のＵＨＦ帯の本第２の実施形態に係る受信装置の周波数に対するピークゲイン特性を示す図である。
【図１６】本発明の第３の実施形態に係る受信システムの等価回路を示す図である。
【図１７】本発明の第４の実施形態に係る受信システムの等価回路を示す図である。
【図１８】本第４の実施形態に係る４極ジャック部を含む携帯端末（電子機器）側接続機器の一例の等価回路を示す図である。
【図１９】本発明の第５の実施形態に係る受信システムの等価回路を示す図である。
【図２０】本発明の第６の実施形態に係る受信システムの等価回路を示す図である。
【図２１】本発明の第７の実施形態に係る受信システムの等価回路を示す図である。
【発明を実施するための形態】
【００１２】
以下、本発明の実施形態を図面に関連付けて説明する。
なお、説明は以下の順序で行う。
１．第１の実施形態（受信システム（受信装置）の第１の構成例）
２．第２の実施形態（受信システム（受信装置）の第２の構成例）
３．第３の実施形態（受信システム（受信装置）の第３の構成例）
４．第４の実施形態（受信システム（受信装置）の第４の構成例）
５．第５の実施形態（受信システム（受信装置）の第５の構成例）
６．第６の実施形態（受信システム（受信装置）の第６の構成例）
７．第７の実施形態（受信システム（受信装置）の第７の構成例）
【００１３】
＜１．第１の実施形態＞
［受信システム（受信装置）の第１の構成例］
図１は、本発明の第１の実施形態に係るアンテナ装置を形成するアンテナケーブルを含む電子機器（セット機器）の一例である携帯端末を含む受信システム（受信装置）を示す図である。
図２は、本発明の第１の実施形態に係る受信システムの等価回路を示す図である。
図３は、本実施形態に係るアンテナケーブルを形成するシールド部付同軸ケーブルおよび中継基板を含むプラグ接続部の等価回路を示す図である。
【００１４】
受信システム１０は、電子機器としての携帯端末２０、およびアンテナ装置３０を主構成要素として有している。
【００１５】
携帯端末２０は、たとえばテレビジョン受像機を内蔵し、オーディオ系回路、表示系回路、液晶表示デバイス等の表示部２１、キー入力等を行う操作部を有する。
携帯端末２０は、高周波信号を受信するためにアンテナ装置３０を形成する３極プラグ４０が接続され丸型ジャック部２２等を含む。
３極プラグ４０および丸型ジャック部２２は、各々のあるいは両方で接続機器１００を形成する。
丸型ジャック部２２を含む携帯端末(電子機器)側接続機器の構成については後で詳述する。
【００１６】
本実施形態のアンテナ装置３０は、たとえば放送局から送信されたＦＭ帯や、デジタルテレビジョン放送を受信するために使われるＶＨＦ帯〜ＵＨＦ帯の電波信号を受信し、伝送することが可能である。
【００１７】
アンテナ装置３０は、主として音声信号用３極プラグ４０および音声信号伝送ケーブル５０により形成され、ジャック部２２を含む接続機器は電子機器である携帯端末２０に形成されている。
そして、本第１の実施形態においては、音声信号伝送ケーブル５０は、アンテナケーブル６０およびイヤホンケーブル７０により形成される。
本第１の実施形態のアンテナ装置３０は、イヤホン分離型スリーブアンテナとして形成されている。
【００１８】
アンテナケーブル６０は、シールド部付同軸ケーブル６１の一端部にφ３．５ｍｍまたはφ２．５ｍｍの３極プラグ４０が中継部を介して接続され、他端にφ３．５ｍｍまたはφ２．５ｍｍの３極ジャック６３が形成されている。
３極プラグ４０の中継基板による接続部および３極ジャック６３の形成部分には、キャップ６４，６５が配置されている。
本例では、同軸ケーブル６１の長さは３５０ｍｍに設定され、イヤホンケーブル７０の長さは１２００ｍｍに設定される。
【００１９】
［３極プラグの構成例］
３極プラグ４０は、ジャック部２２に挿入される円筒状の先端部４１に、先端側から順に、ステレオ音声信号の左チャンネル（Ｌｃｈ）端子４１１、右チャンネル（Ｒｃｈ）端子４１２、およびグランド（ＧＮＤ）端子４１３が、互いに絶縁されて形成されている。
３極プラグ４０は、アンテナケーブル６０の一端部（側）と接続される円筒状の後端部４２に、長さ方向の中央部側からＧＮＤ端子４２１、Ｒｃｈ端子４２２、およびＬｃｈ端子４２３が、互いに絶縁されて形成されている。
そして、３極プラグ４０において、先端部４１のＬｃｈ端子４１１と後端部４２のＬｃｈ端子４２３が円筒軸内を通して電気的に接続されている。
先端部４１のＲｃｈ端子４１２と後端部４２のＲｃｈ端子４２２が円筒軸内を通して電気的に接続されている。
先端部４１のＧＮＤ端子４１３と後端部４２のＧＮＤ端子４２１が円筒軸内を通して電気的に接続されている。
本例では、Ｌｃｈ端子４２３が円筒の中心部に形成され、その外周部(外側)にＲｃｈ端子４２２が形成され、さらに外周部(外側)にＧＮＤ端子４２１が形成されている。
【００２０】
３極プラグ４０において、先端部４１のＬｃｈ端子４１１と後端部４２のＬｃｈ端子４２３により第１のプラグ端子が形成される。
先端部４１のＧＮＤ端子４１３と後端部４２のＧＮＤ端子４２１により第２のプラグ端子が形成される。
先端部４１のＲｃｈ端子４１２と後端部４２のＲｃｈ端子４２２により第３のプラグ端子が形成される。
【００２１】
そして、本実施形態においては、第１のプラグ端子であるＬｃｈ端子４１１，４２３には高周波信号と低周波の音声信号Ｌが重畳される。
第２のプラグ端子であるＧＮＤ端子４１３，４２１は、低周波および高周波のグランドとして機能する。
第３のプラグ端子であるＲｃｈ端子４１２，４２２は、高周波的には容量結合によりグランドとして機能し、低周波では第１のプラグ端子であるＬｃｈ端子４１１，４２３と別の音声信号Ｒを伝送する機能を含む。
【００２２】
３極プラグ４０においては、第２のプラグ端子であるＧＮＤ端子４２１と第３のプラグ端子であるＲｃｈ端子間には、高周波のグランド強化のために容量Ｃ４１が形成されている。
【００２３】
図４は、第２のプラグ端子であるＧＮＤ端子４２１と第３のプラグ端子であるＲｃｈ端子４２２間に形成される容量について説明するための図である。
【００２４】
図４に示されるように、例としては、φ３．５、３極プラグ４０を説明するが、通常丸形プラグ部の先端は、通常プラグの中心にあり、この部分の外側を高周波的にＧＮＤにすることで、高周波的損失（ロス）が小さくなる。
また、ＧＮＤ端子４２１とＲｃｈ端子４２２間の絶縁部を、たとえば絶縁樹脂４２４により形成し、容量として機能させ、インピーダンスを調整するとよい。
これにより、多芯で、本実施形態のように、同軸線を使用したイヤホンアンテナのような場合、この部分の絶縁に使われている絶縁樹脂４２４の誘電率を考慮して作製すると高周波的にはＧＮＤと同じ構造となりプラグ部でのロスを軽減できる。
【００２５】
なお、本実施形態においては、上記理由により、プラグ中心部およびプラグ最先端部に形成されるＬｃｈ端子４２３，４１１を第１のプラグ端子としてアンテナ信号ラインＬＡＮＴとしている。
ただし、Ｒｃｈ端子を第１のプラグ端子として機能させ、Ｌｃｈ端子を第３のプラグ端子として機能させることも可能である。
【００２６】
アンテナケーブル６０は、同軸ケーブル６１、同軸ケーブルの一端部に配置された中継部６２、および同軸ケーブル６１の他端部に形成された３極ジャック６３を有する。
中継部６２はキャップ６４で被覆され、３極ジャック６３はキャップ６５で被覆されている。
【００２７】
同軸ケーブル６１は、複数のラインを含み、一端側に中継部６２において３極プラグ４０が接続され、他端側には３極ジャック６３を介してイヤホンケーブル７０が接続可能に形成されている。
この同軸ケーブル６１は、たとえばジャケットにより被覆されたシールド部付同軸ケーブルにより形成される。
【００２８】
［アンテナケーブルの構成例（シールド部付同軸ケーブルの構成例）］
図５は、シールド部付同軸ケーブルの構造例を示す図である。
【００２９】
図５のシールド部付同軸ケーブル６１は、３芯同軸ケーブル６１０により形成されている。
３芯同軸ケーブル６１０は、オーディオのＬラインおよびＲライン、およびＧＮＤラインを形成する複数の芯線６１１，６１２，６１３、および芯線６１１，６１２，６１３を絶縁するための内部絶縁体６１４を有する。
同軸ケーブル６１０は、絶縁体６１４の外周に配置された外部導体としてのシールド部６１５、および外周全体を被覆するエラストマー等の外部絶縁体（外皮、ジャケット）６１６を有する。
【００３０】
なお、Ｌラインを形成する芯線６１１が第１のラインに相当し、ＧＮＤラインを形成する芯線６１３が第２のラインに相当し、Ｒラインを形成する芯線６１２が第３のラインに相当する。
【００３１】
芯線６１１，６１２，６１３は、たとえばアラミド繊維入りポリウレタン線により形成される。
絶縁体６１４は、たとえばＸ線照射架橋ＰＥにより形成される。
また、シールド部６１５は、たとえば軟銅線により形成される。
また、シールド部６１５は、導電性を有する複数の素線、たとえば裸軟銅線を編組した編組シールドにより形成されている。
なお、編組シールドは、横巻シールドと比べて、屈曲時においてもシールドの隙間発生が少なく、適度な柔軟性、折り曲げ強さ、機械的強度を備えた静電シールド方法として知られているものである。
芯線６１１，６１２，６１３とシールド部６１５は、高周波的にインピーダンスを有する。
【００３２】
［中継部の構成例］
次に、中継部６２の構成例について説明する。
図２および図３は、本実施形態に係る中継部の具体的な構成、並びに同軸伝送ケーブルおよび同軸ケーブルの接続例を示している。
【００３３】
中継部６２は、たとえば基板あるいはモールド成型にて形成される。
中継部６２の一端部側において、同軸ケーブル６１０は、絶縁体６１４、シールド部６１５、ジャケット６１６が除去されて芯線６１１，６１２，６１３が露出している。
また、中継部６２の近傍にはジャケット６１６が除去されてシールド部６１５が露出している。
中継部６２の他端側において、３極プラグ４０の後端部４２が、同軸ケーブル６１０の一端側の芯線６１１，６１２，６１３の端部と対向するように配置される。
【００３４】
中継部６２では、３極プラグ４０の後端部４２のＬｃｈ端子４２３には、同軸ケーブル部６１０の芯線６１１（Ｌｃｈライン）が直接的に接続されている。
【００３５】
中継部６２では、３極プラグ４０の後端部４２のＲｃｈ端子４２２には、たとえば高周波遮断機能を有するインダクタＬ１やフェライトビーズＦＢ１により形成される高周波遮断部６２１が接続されている。
そして、３極プラグ４０の後端部４２のＲｃｈ端子４２２は、高周波遮断部６２１を介して、同軸ケーブル部６１０の芯線６１２（Ｒｃｈライン）と接続されている。
【００３６】
中継部６２では、３極プラグ４０の後端部４２のＧＮＤ端子４２１には、たとえば高周波遮断機能を有するインダクタＬ２やフェライトビーズＦＢ２により形成される高周波遮断部６２２が接続されている。
そして、３極プラグ４０の後端部４２のＧＮＤ端子４２１は、高周波遮断部６２２を介して、同軸ケーブル６１０の芯線６１３（ＧＮＤライン）に接続され、その接続部は同軸ケーブル６１０のシールド部６１５に接続されている。
中継部６２では、第２のプラグ端子であるＧＮＤ端子４２１と高周波遮断部６２２とシールド部６１５の接続部と、第３のプラグ端子であるＲｃｈ端子４２２間に容量Ｃ４１が形成されている。
【００３７】
高周波遮断部６２１，６２２は、ＲｃｈのオーディオラインおよびＧＮＤライン上では、それぞれ、音声の帯域で低インピーダンス、高周波の領域、たとえばＶＨＦ帯以上では、高インピーダンスとなるような高周波遮断のために実装されている。
【００３８】
図６は、本実施形態に係る中継部に実装基板の構成例を示す図である。
【００３９】
この実装基板８０は、長さ１６．１ｍｍ、幅５．５ｍｍの長方形状に形成されている。
実装基板８０は、その長手方向の一端部にたとえばφ３．５ｍｍの３極プラグ４０の後端部４２を収容するプラグ収容領域８１が形成されている。
この例では、３極プラグ４０の後端部４２の長さは７．５ｍｍ程度である。
プラグ収容領域８１の周囲には、その収容口近傍に収容される３極プラグ４０のＧＮＤ端子４２１と接続されるＧＮＤ端子８２が形成されている。
プラグ収容領域８１の長手方向の先端よりの中間部に、Ｒｃｈ端子４２２と接続されるＲ端子８３が形成されている。
プラグ収容領域８１の長手方向の先端部には、Ｌｃｈ端子４２３と接続されるＬ端子８４が形成されている。
【００４０】
実装基板８０は、その長手方向の他端部に、同軸ケーブル６１０のシールド部６１５、および芯線６１１，６１２，６１３が半田等により接続される接続端子８５，８６，８７，８８が形成されている。
シールド部６１５が接続される端子８５とＧＮＤの端子８２が接続配線ＬＷ１により接続されている。
接続配線ＬＷ１には接続端子８９が接続されており、その接続端子８９とＲｃｈ端子である端子８３との間に容量Ｃ４１が形成されている。
Ｌｃｈラインである芯線６１１が接続される端子８６と端子８４が接続配線ＬＷ２により接続されている。
端子８３と接続端子８７の配置位置の間に高周波遮断部６２１を形成するフェライトビーズＦＢ１が実装されている。
端子８２と接続端子８８の配置位置の間に高周波遮断部６２２を形成するフェライトビーズＦＢ２が実装されている。
端子８３とフェライトビーズＦＢ１が接続配線ＬＷ３により接続されている。端子８２とフェライトビーズＦＢ２が接続配線ＬＷ４により接続されている。
フェライトビーズＦＢ１と接続端子８７が接続配線ＬＷ５により接続されている。フェライトビーズＦＢ２と接続端子８８が接続配線ＬＷ６により接続されている。
【００４１】
実装基板８０は、３極プラグ４０の後端部４２の端子４２１，４２２，４２３がプラグ端子のそれぞれに対応する部分の端子８２，８３，８４で半田付けにより接続されて、アンテナとして機能する構造を有している。
【００４２】
［アンテナケーブルの３極ジャックの構成例］
３極ジャック６３は、図２および図３に示すように、Ｌｃｈ端子６３１、Ｒｃｈ端子６３２、およびＧＮＤ端子６３３を有する。
３極ジャック６３の近傍において、同軸ケーブル６１０の他端部は、絶縁体６１４、シールド部６１５、ジャケット６１６が除去されて芯線６１１，６１２，６１３が露出している。また、３極ジャック６３の近傍にはジャケット６１６が除去されてシールド部６１５が露出している。
そして、Ｌｃｈ端子６３１は芯線６１１に接続され、Ｒｃｈ端子６３２は芯線６１２に接続され、ＧＮＤ端子６３３は芯線６１３に接続されている。
また、図において、６３４はプラグ挿入口を示している。
【００４３】
［イヤホンケーブルの構成例］
イヤホンケーブル７０は、一端部が分岐されてＬｃｈ用イヤホン７１、Ｒｃｈ用イヤホン７２が接続され、他端部にφ３．５ｍｍまたはφ２．５ｍｍの３極プラグ７３が接続されている。
３極プラグ７３は、その円筒状の先端部をアンテナケーブル６０の３極ジャック６３に挿入して接続可能であり、Ｌｃｈ端子７３１、Ｒｃｈ端子７３２、およびＧＮＤ端子７３３を有する。
そして、Ｌｃｈ端子７３１とイヤホン７１がＬｃｈライン７３４により接続され、Ｒｃｈ端子７３２とイヤホン７２がＲｃｈライン７３５により接続され、ＧＮＤ端子７３３がＧＮＤライン７３６，７３７と接続されている。
【００４４】
［３極ジャック部２２を含む携帯端末（電子機器）側接続機器の構成例］
図７は、本第１の実施形態に係る３極ジャック部２２を含む携帯端末（電子機器）側接続機器の一例の等価回路を示す図である。
図７においては、ジャック部２２に接続可能な３極プラグ４０および２極プラグ４０Ａをあわせて示している。
【００４５】
携帯端末２０に形成される３極ジャック部２２は、図２および図７に示すように、３極ジャック２２１、引き出し部（引き出しライン部）２２２，２２３，２２４を有する。
３極ジャック２２１は、第１のジャック端子であるＬｃｈ端子ＴＬ、第２のジャック端子であるＧＮＤ端子ＴＧ、および第３のジャック端子であるＲｃｈ端子ＴＲを有する。
３極ジャック２２１は、３極プラグ４０が挿入され接続状態にあるときに、先端部のＬｃｈ端子４１１がＬｃｈ端子ＴＬと接続され、Ｒｃｈ端子４１２がＲｃｈ端子ＴＲに接続され、ＧＮＤ端子４１３がＧＮＤ端子ＴＧに接続されるように各端子が配置されている。
そして、第１のジャック端子であるＬｃｈ端子ＴＬに第１の引き出し部２２２が接続され、第２のジャック端子であるＧＮＤ端子ＴＧに第２の引き出し部２２３が接続され、第３のジャック端子であるＲｃｈ端子に第３の引き出し部２２４が接続されている。
【００４６】
第１のジャック端子である端子ＴＬに接続された第１の引き出し部２２２は、２つに分岐され、第１の分岐ラインＬＢ１に高周波遮断にためのインダクタＬやフェライトビーズＦＢ等により形成される高周波遮断部２２５が挿入（接続）される。
第１の引き出し部２２２は、この第１の分岐ラインＬＢ１の高周波遮断部２２５を通してＬｃｈの音声信号を図示しない信号処理系に供給する。
第１の引き出し部２２２の第２の分岐ラインＬＢ２はアンテナ信号ラインＬＡＮＴを形成し、高周波信号を取り出すためのキャパシタＣ２２１が接続され、さらにキャパシタＣ２２１を介してチューナー２３に接続されている。
【００４７】
第２のジャック端子である端子ＴＧに接続された第２の引き出し部２２３は機器のグランド（セットグランド）ＧＮＤに直接的に接続されている。
【００４８】
第３のジャック端子である端子ＴＲに接続された第３の引き出し部２２４は、２つに分岐され、第１の分岐ラインＬＢ３に高周波遮断のためのインダクタＬやフェライトビーズＦＢ等により形成される高周波遮断部２２６が挿入（接続）される。
第３の引き出し部２２４は、この第１の分岐ラインＬＢ３の高周波遮断部２２６を通してＲｃｈの音声信号を図示しない信号処理系に供給する。
第３の引き出し部２２４の第２の分岐ラインＬＢ４は、高周波的にはグランドに接続し、低周波では分離する容量(キャパシタ)Ｃ２２２が形成されている（接続されている）。
【００４９】
なお、このような構成を有する３極ジャック部２２は、２極プラグ４０Ａにも適用可能である。
２極プラグ４０Ａの先端部の端子４１１Ａに高周波信号および低周波信号の重畳信号が伝搬され、ジャック部２２の第１のジャック端子であるＬｃｈ端子ＴＬに接続される。
２極プラグ４０Ａは端子４１１Ａの後端側はＧＮＤ端子４１３Ａとして形成され、ＧＮＤ端子４１３Ａはジャック部２２の第２のジャック端子であるＧＮＤ端子ＴＧおよび第３のジャック端子である端子ＴＲに接続される。
【００５０】
このように、本実施形態の接続機器の３極ジャック部２２においては、先端側にステレオ音声信号のＬｃｈ（左チャンネル）端子ＴＬが配置され、ジャックの長手方向の中間部分にＲｃｈ(右チャンネル)端子ＬＲが配置されている。
そして、このＲｃｈ端子ＴＬには高周波的にはグランドに接続し、低周波では分離する容量(キャパシタ)Ｃ２２２が形成されている（接続されている）。
この容量Ｃ２２２は通過特性の改善に寄与する。
【００５１】
図８（Ａ）および（Ｂ）は、３極ジャック部のＲｃｈ端子ＴＲに容量を接続した場合と接続していない場合の通過特性を示す図である。
図８（Ａ）は容量を接続した場合の通過特性を、図８（Ｂ）は容量を接続していない場合の通過特性を示している。
この通過特性は、図９（Ａ）に示す変換プラグと図９（Ｂ）に示すコネクタ基板の３極ジャックと接続して、容量Ｃ２２２を接続した場合（Ｃがある場合）と接続していない場合（Ｃがない場合）を、ネットワークアナライザで通過特性の確認を行った結果である。
【００５２】
図８（Ｂ）に示すように、容量Ｃ２２２を接続していな場合には全体的に通過特性が劣化している。
これに対して、図８（Ａ）に示すように、容量Ｃ２２２を接続することで、全体的な通過特性が改善されていることがわかる。
【００５３】
図１０（Ａ）および（Ｂ）は、アンテナケーブルにイヤホンケーブルを接続したときのＶＨＦ帯およびＵＨＦ帯の本第１の実施形態に係る受信装置の周波数に対するピークゲイン特性を示す図である。
図１０（Ａ）はＦＭ ＶＨＦ帯域の特性を示し、図１０（Ｂ）はＵＨＦ帯域の特性を示している。
図１０の（Ａ），（Ｂ）において、Ｈで示す曲線が水平偏波(Horizontal Polarization)の特性を示し、Ｖで示す曲線が垂直偏波(Vertical Polarization)の特性を示している。
また、図１０の（Ｃ），（Ｄ）においては、特性図にあわせて測定結果を詳細に示す図表を図示している。
【００５４】
図１０は、１２００ｍｍのイヤホンケーブル７０と３５０ｍｍのアンテナケーブル６０を有し、φ２．５ｍｍの３極プラグおよびジャックを用いた場合の特性である。
【００５５】
図１０からわかるように、本実施形態のアンテナケーブルとイヤホンケーブルを含むアンテナ装置を用いていることにより、ＵＨＦ帯およびＶＨＦ帯のローバンドもハイバンドも受信可能である。
【００５６】
＜２．第２の実施形態＞
［受信システム（受信装置）の第２の構成例］
図１１は、本発明の第２の実施形態に係る受信システムの等価回路を示す図である。
【００５７】
本第２の実施形態に係る受信システム１０Ａが第１の実施形態に係る受信システム１０と異なる点は、次の通りである。
本第２の実施形態では、アンテナ装置３０Ａにおいて、アンテナケーブル６０Ａの同軸ケーブル６１Ａのシールド部６１５が第２のプラグ端子であるＧＮＤ端子４２１ではなく、第１のプラグ端子であるＬｃｈ端子４２３に接続されている。
【００５８】
その他の構成は第１の実施形態と同様である。
【００５９】
図１２（Ａ）および（Ｂ）は、アンテナケーブルにイヤホンケーブルを接続したときのＶＨＦ帯およびＵＨＦ帯の本第２の実施形態に係る受信装置の周波数に対するピークゲイン特性を示す図である。
図１２（Ａ）はＦＭ ＶＨＦ帯域の特性を示し、図１２（Ｂ）はＵＨＦ帯域の特性を示している。
図１２（Ａ），（Ｂ）において、Ｈで示す曲線が水平偏波の特性を示し、Ｖで示す曲線が垂直偏波の特性を示している。
また、図１２（Ｃ），（Ｄ）においては、特性図にあわせて測定結果を詳細に示す図表を図示している。
【００６０】
図１３（Ａ）および（Ｂ）は、比較例として、アンテナケーブルにイヤホンケーブルを接続していないときのＶＨＦ帯およびＵＨＦ帯の受信装置の周波数に対するピークゲイン特性を示す図である。
図１３（Ａ）はＦＭ ＶＨＦ帯域の特性を示し、図１３（Ｂ）はＵＨＦ帯域の特性を示している。
図１３（Ａ），（Ｂ）において、Ｈで示す曲線が水平偏波の特性を示し、Ｖで示す曲線が垂直偏波の特性を示している。
また、図１３（Ｃ），（Ｄ）においては、特性図にあわせて測定結果を詳細に示す図表を図示している。
【００６１】
図１３からわかるように、イヤホンケーブルを接続していない場合は、ＶＨＦ帯およびＵＨＦ帯の特性、特にＶＨＦ帯の特性において劣化が大きい。
これに対して、図１２に示すように、本第２の実施形態のアンテナケーブルとイヤホンケーブルを含むアンテナ装置を用いていることにより、ＵＨＦ帯およびＶＨＦ帯のローバンドもハイバンドも受信可能である。
【００６２】
また、本第１および第２の実施形態においては、第２のプラグ端子であるＧＮＤ端子４２１と第３のプラグ端子であるＲｃｈ端子４２２間に容量Ｃ４１を配置している。
【００６３】
図１４は、第２のプラグ端子であるＧＮＤ端子４２１と第３のプラグ端子であるＲｃｈ端子４２２間に容量Ｃ４１を配置している場合と配置していない場合の実験に使用した接続機器を示す図である。
【００６４】
図１５（Ａ）および（Ｂ）は、アンテナケーブルにイヤホンケーブルを接続し、ＧＮＤ端子とＲｃｈ端子間に容量Ｃ４１を配置している場合と配置していない場合のＵＨＦ帯の本第２の実施形態に係る受信装置の周波数に対するピークゲイン特性を示す図である。
図１５（Ａ）は容量を配置していない場合のＵＨＦ帯域の特性を示し、図１５（Ｂ）は容量を配置した場合のＵＨＦ帯域の特性を示している。
図１５（Ａ），（Ｂ）において、Ｈで示す曲線が水平偏波の特性を示し、Ｖで示す曲線が垂直偏波の特性を示している。
また、図１５（Ｃ），（Ｄ）においては、特性図にあわせて測定結果を詳細に示す図表を図示している。
【００６５】
容量Ｃ４１を配置していない場合には、ジャック部２２側の第１の引き出し部２２２および第３の引き出し部２２４にキャパシタＣＣ２２１、Ｃ２２２を配置してあっても、大きく特性が劣化する。
これに対して、本実施形態のように、第２のプラグ端子であるＧＮＤ端子４２１と第３のプラグ端子であるＲｃｈ端子４２２間に容量Ｃ４１を配置している場合には良好な特性が得られる。
【００６６】
このように、本第２の実施形態によれば、本実施形態のアンテナケーブルとイヤホンケーブルを含むアンテナ装置を用いていることにより、ＵＨＦ帯のローバンドもハイバンドも受信可能である。
【００６７】
＜３．第３の実施形態＞
［受信システム（受信装置）の第３の構成例］
図１６は、本発明の第３の実施形態に係る受信システムの等価回路を示す図である。
【００６８】
本第３の実施形態に係る受信システム１０Ｂが第１の実施形態に係る受信システム１０と異なる点は、アンテナ装置３０Ｂにおいて、アンテナケーブル６０Ｂとイヤホンケーブル７０Ｂをプラグ接続ではなく、一体的に接続したことにある。
【００６９】
その他の構成は第１の実施形態と同様である。
本第３の実施形態によれば、上述した第１の実施形態と同様の効果を得ることができる。
【００７０】
＜４．第４の実施形態＞
［受信システム（受信装置）の第４の構成例］
図１７は、本発明の第４の実施形態に係る受信システムの等価回路を示す図である。
【００７１】
本第４の実施形態に係る受信システム１０Ｃが第３の実施形態に係る受信システム１０Ｂと異なる点は、プラグとして４極プラグ４０Ｃを用いたことにある。
これに応じてアンテナケーブル６０Ｃは、４芯の同軸ケーブル６１０Ｃが適用されている。
図１７においては、同軸ケーブル６１０Ｃの断面を併せて示している。
【００７２】
４極プラグ４０Ｃは、先端部４１Ｃにおいて、Ｒｃｈ端子４１２とＧＮＤ端子４１３との間に、マイクロフォン（ＭＩＣ）端子４１４が形成されている。
そして、４極プラグ４０Ｃは、後端部４２Ｃにおいて、ＧＮＤ端子４２１とＲｃｈ端子４２２との間にＭＩＣ端子４２５が形成されている。
中継部６２Ｃにおいて、ＭＩＣ端子４２５には、インダクタＬ３やフェライトビーズにより形成される高周波遮断部６２３が接続されている。
また、同軸ケーブル６１０Ｃは、３芯の同軸ケーブル６１０に比べて芯線６１７が１本多く含まれている。
芯線６１７の一端部は中継部６２Ｃにおいて高周波遮断部６２３に接続されている。
また、芯線６１７の他端部は、マイクロフォン（ＭＩＣ）９０に接続され、ＭＩＣ９０は、ＧＮＤラインである芯線６１３とイヤホンケーブル７０ＣのＧＮＤラインとに接続される。
また、中継部６２Ｃにおいては、第２のプラグ端子であるＧＮＤ端子４２１と他の第３のプラグ端子（第４のプラグ端子）４２５との間に容量Ｃ４２が形成されている。
【００７３】
図１８は、本第４の実施形態に係る４極ジャック部２２Ｃを含む携帯端末（電子機器）側接続機器の一例の等価回路を示す図である。
図１８においては、ジャック部２２Ｃに接続可能な４極プラグ４０Ｃ、３極プラグ４０および２極プラグ４０Ａをあわせて示している。
【００７４】
また、携帯端末（電子機器）２０Ｃにおけるジャック部２２Ｃは、ジャック２２１ＣにＭＩＣ端子ＴＭが増設されており、その引き出し部２２７がＭＩＣ端子ＴＭに接続されている。
そして、他の第３の引き出し部（第４の引き出し部）２２７には、高周波遮断のためのインダクタＬやフェライトビーズＦＢ等により形成される高周波遮断部２２８が挿入（接続）されている。
【００７５】
他の第３のジャック端子である端子ＴＭに接続された第３の引き出し部２２７は、２つに分岐され、第１の分岐ラインＬＢ５に高周波遮断のためのインダクタＬやフェライトビーズＦＢ等により形成される高周波遮断部２２８が挿入（接続）される。
第３の引き出し部２２７は、この第１の分岐ラインＬＢ５の高周波遮断部２２８を通してＭＩＣの信号を図示しない信号処理系に供給する。
第３の引き出し部２２７の第２の分岐ラインＬＢ６は、高周波的にはグランドに接続し、低周波では分離する容量(キャパシタ)Ｃ２２３が形成されている（接続されている）。
【００７６】
なお、このような構成を有する４極ジャック部２２Ｃは、３極プラグ４０および２極プラグ４０Ａにも適用可能である。
【００７７】
その他の構成は第３の実施形態と同様である。
本第４の実施形態によれば、上述した第１、第２および第３の実施形態と同様の効果を得ることができる。
【００７８】
＜５．第５の実施形態＞
［受信システム（受信装置）の第５の構成例］
図１９は、本発明の第５の実施形態に係る受信システムの等価回路を示す図である。
【００７９】
本第５の実施形態に係る受信システム１０Ｄが第３の実施形態に係る受信システム１０Ｂと異なる点は、アンテナケーブルを用いずに、イヤホンケーブル７０を、中継部６２Ｄを介して３極プラグ４０に接続するようにしたことにある。
【００８０】
その他の構成は第３の実施形態と同様である。
本第５の実施形態によれば、上述した第１、第２および第３の実施形態と同様の効果を得ることができる。
【００８１】
＜６．第６の実施形態＞
［受信システム（受信装置）の第６の構成例］
図２０は、本発明の第６の実施形態に係る受信システムの等価回路を示す図である。
【００８２】
本第６の実施形態に係る受信システム１０Ｅが第１の実施形態に係る受信システム１０と異なる点は、次のとおりである。
すなわち、第１のラインとしてのＬｃｈライン６１１Ｅが同軸ケーブル６１０Ｅで形成され、第２のラインとしてのＧＮＤライン６１３Ｅおよび第３のラインとしての音声信号のＲｃｈライン６１２Ｅが外側で、同軸ケーブル６１０Ｅに並列に配置されている。
中継部６２Ｅにおける接続は第１の実施形態と同様に、Ｒｃｈライン６１２Ｅは高周波遮断部６２１を介してプラグ端子４２２に接続され、ＧＮＤライン６１３Ｅが高周波遮断部６２２を介してプラグ端子４２１に接続されている。
そして、ＬｃｈラインＬｃｈ６１１Ｅがプラグ端子４２３に直接接続されている。
そして、中継部６２Ｅにおいては、シールド部６１５とＲｃｈライン６１２ＥおよびＧＮＤライン６１３Ｅの間に、容量Ｃ６２１，Ｃ６２２が形成されている。
本実施形態においては、キャパシタを配置している。これにより、アンテナ特性の向上を図ることが可能である。
【００８３】
そして、アンテナケーブル６０Ｅの他端側に、基板やモールドにより形成される中継部６３Ｅが配置されている。
中継部６３Ｅには３極ジャックが配置されている。そして、中継部６３Ｅにおいて、同軸ケーブル６１０Ｅの芯線６１１Ｅの他端がＬｃｈ端子６３１に接続されている。
信号ライン６１２Ｅ、ＧＮＤライン６１３Ｅの他端にはインダクタやフェライトビーズにより形成される高周波遮断機能を有する高周波遮断部６３５，６３６が接続されている。そして、高周波遮断部６３５がＲｃｈ端子６３２に接続され、高周波遮断部６３６がＧＮＤ端子６３３に接続されている。
そして、中継部６３Ｅにおいては、シールド部６１５とＲｃｈライン６１２ＥおよびＧＮＤライン６１３Ｅの間に、容量Ｃ６３１，Ｃ６３２が形成されている。
【００８４】
このような構成を有する第６の実施形態においても、上述したと同様の効果を得ることが可能である。
なお、この構成は、前述した４極構成の場合にも適用することが可能である。
【００８５】
＜７．第７の実施形態＞
［受信システム（受信装置）の第７の構成例］
図２１は、本発明の第７の実施形態に係る受信システムの等価回路を示す図である。
【００８６】
本第７の実施形態に係る受信システム１０Ｆが第２の実施形態に係る受信システム１０Ａと異なる点は、次のとおりである。
すなわち、第１のラインとしてのＬｃｈライン６１１Ｆが同軸ケーブル６１０Ｆで形成され、第２のラインとしてのＧＮＤライン６１３Ｆおよび第３のラインとしての音声信号のＲｃｈライン６１２Ｆが外側で、同軸ケーブル６１０Ｆに並列に配置されている。
中継部６２Ｆにおける接続は第１の実施形態と同様に、Ｒｃｈライン６１２Ｆは高周波遮断部６２１を介してプラグ端子４２２に接続され、ＧＮＤライン６１３Ｆが高周波遮断部６２２を介してプラグ端子４２１に接続されている。
そして、Ｌｃｈライン６１１Ｆがプラグ端子４２３に直接接続されている。
そして、中継部６２Ｆにおいては、シールド部６１５とＲｃｈライン６１２ＦおよびＧＮＤライン６１３Ｆの間に、容量Ｃ６２１，Ｃ６２２が形成されている。
本実施形態においては、キャパシタを配置している。これにより、アンテナ特性の向上を図ることが可能である。
【００８７】
そして、アンテナケーブル６０Ｆの他端側に、基板やモールドにより形成される中継部６３Ｆが配置されている。
中継部６３Ｆには３極ジャックが配置されている。そして、中継部６３Ｆにおいて、同軸ケーブル６１０Ｆの芯線６１１Ｆの他端がＬｃｈ端子６３１に接続されている。
信号ライン６１２Ｆ、ＧＮＤライン６１３Ｆの他端にはインダクタやフェライトビーズにより形成される高周波遮断機能を有する高周波遮断部６３７，６３８が接続されている。そして、高周波遮断部６３７がＲｃｈ端子６３２に接続され、高周波遮断部６３８がＧＮＤ端子６３３に接続されている。
【００８８】
このような構成を有する第７の実施形態においても、上述したと同様の効果を得ることが可能である。
なお、この構成は、前述した４極構成の場合にも適用することが可能である。
【００８９】
以上説明したように、本実施形態によれば、φ３．５ｍｍ、φ２．５ｍｍなどの通常オーディオでよく使用するプラグジャックを用いて、ＶＨＦ帯、ＵＨＦ帯を受信するアンテナにおいて、結合部のロスを減らして、高い受信性能を実現することができる。
【００９０】
なお、アンテナケーブルにおいて、伝送ケーブルが、中継部に接続される部位が、同軸構造ではなく平行２線で構成することも可能である。
そして、本実施形態によれば、高周波と低周波のコネクタを共用できることから、コネクタの数の削減と小型化の実現とともに、通常のオーディオとイヤホンアンテナや他のアンテナとの共用もできるようになる。
また、高周波遮断部位は、磁性材料にケーブル部を巻きつけることによって形成することも可能である。
【符号の説明】
【００９１】
１０，１０Ａ〜１０Ｆ・・・受信システム（受信装置）、２０・・・携帯端末（電子機器、セット）、２２，２２Ｂ・・・ジャック部、２２１，２２１Ｂ・・・ジャック、２２２〜２２４，２２７・・・引き出し部、２２５，２２６，２２８・・・高周波遮断部、２３・・・チューナー、３０・・・アンテナ装置、４０・・・３極プラグ、４０Ａ・・・２極プラグ、４０Ｂ・・・４極プラグ、５０・・・音声信号伝送ケーブル、６０・・・アンテナケーブル、６１・・・同軸ケーブル、６２，６２Ａ〜６２Ｆ，６３Ｅ，６３Ｆ・・・中継部、６２１〜６２３・・・高周波遮断部、７０・・・イヤホンケーブル、８０・・・実装基板、９０・・・マイクロフォン（ＭＩＣ）、１００・・・接続機器。
【図１】
0005589496.tif 000002
【図２】
0005589496.tif 000003
【図３】
0005589496.tif 000004
【図４】
0005589496.tif 000005
【図５】
0005589496.tif 000006
【図６】
0005589496.tif 000007
【図７】
0005589496.tif 000008
【図８】
0005589496.tif 000009
【図９】
0005589496.tif 000010
【図１０】
0005589496.tif 000011
【図１１】
0005589496.tif 000012
【図１２】
0005589496.tif 000013
【図１３】
0005589496.tif 000014
【図１４】
0005589496.tif 000015
【図１５】
0005589496.tif 000016
【図１６】
0005589496.tif 000017
【図１７】
0005589496.tif 000018
【図１８】
0005589496.tif 000019
【図１９】
0005589496.tif 000020
【図２０】
0005589496.tif 000021
【図２１】
0005589496.tif 000022